(57)【要約】【課題】装置が有する設定およびデータを他の装置に容易に移行することができる画像処理装置およびデータ処理プログラムを提供する。【解決手段】画像処理装置Ａと画像処理装置Ｂとがケーブルで接続し、両装置の通信ＩＦを仲介して双方向通信で接続すると、画像処理装置Ａは自身の識別情報を画像処理装置Ｂに提供し、画像処理装置Ｂは自身の識別情報を画像処理装置Ａに提供する。画像処理装置Ａは自身の識別情報と画像処理装置Ｂの識別情報とを比較し、移行元であると識別する。画像処理装置Ｂは自身の識別情報と画像処理装置Ａの識別情報とを比較し、移行先であると識別する。画像処理装置Ａはデータを画像処理装置Ｂに提供し、移行したデータを消去し、工場出荷時設定に戻し、現在の設定内容で動作を開始する。画像処理装置Ｂは画像処理装置Ａのデータを記憶し、現在の設定内容で動作を開始する。【選択図】図２
2008300946.tif 000002
【特許請求の範囲】
【請求項１】
通信手段を経由して接続する外部装置とデータ通信を行う通信インターフェースと、
種々のデータを記憶するデータ記憶手段と、
自装置に固有の識別情報を記憶する識別情報記憶手段と、
前記通信インターフェースを仲介して接続する外部装置に前記識別情報記憶手段に記憶している識別情報を提供する識別情報提供手段と、
前記外部装置から該外部装置の識別情報を取得する識別情報取得手段と、
前記識別情報取得手段で取得した前記外部装置の識別情報と前記識別情報記憶手段に記憶している識別情報とを比較し、前記外部装置との前記データの移行が可能であるか否かおよび前記外部装置が前記データの移行元か移行先であるかを識別する識別手段と、
前記識別手段で前記データの移行が可能かつ前記外部装置が前記データの移行先であると識別した場合、前記通信インターフェースを仲介して前記データを前記外部装置に提供するデータ提供手段と
を具備することを特徴とする画像処理装置。
【請求項２】
前記識別情報は、
前記データの移行が可能であるか否かを識別するための文字列と、前記データの移行元であるか移行先であるかを識別するための数列とを含み、
前記識別手段は、
前記識別情報記憶手段に記憶している識別情報に含まれる前記文字列と、前記外部装置の識別情報に含まれる前記文字列とが一致する場合、前記データの移行が可能であると識別し、
前記識別情報記憶手段に記憶している識別情報に含まれる前記数列と、前記外部装置の識別情報に含まれる前記数列との大小に基づいて前記外部装置が移行元であるか移行先であるかを識別する
ことを特徴とする請求項１記載の画像処理装置。
【請求項３】
前記データ提供手段によって前記データが前記外部装置に提供された後、前記識別情報記憶手段から前記識別情報を消去する
ことを特徴とする請求項１記載の画像処理装置。
【請求項４】
通信手段を経由して接続する外部装置とデータ通信を行う通信インターフェースと、
種々のデータを記憶するデータ記憶手段と、
前記通信インターフェースの主従関係に基づいて前記外部装置が前記データの移行元か移行先であるかを識別する識別手段と
前記識別手段で前記外部装置が前記データの移行先であると識別した場合、前記通信インターフェースを仲介して前記データを前記外部装置に提供するデータ提供手段と
を具備することを特徴とする画像処理装置。
【請求項５】
通信手段を経由して接続する外部装置とデータ通信を行う通信インターフェースと、
種々のデータを記憶するデータ記憶手段と、
自装置に固有の識別情報を記憶する識別情報記憶手段と、
前記通信インターフェースを仲介して接続する外部装置に前記識別情報記憶手段に記憶している識別情報を提供する識別情報提供手段と、
前記外部装置から該外部装置の識別情報を取得する識別情報取得手段と、
前記識別情報取得手段で取得した前記外部装置の識別情報と前記識別情報記憶手段に記憶している識別情報とを比較し、前記外部装置との前記データの移行が可能であるか否かおよび前記外部装置が前記データの移行元か移行先であるかを識別する識別手段と、
前記識別手段で前記データの移行が可能かつ前記外部装置が前記データの移行元であると識別した場合、前記通信インターフェースを仲介して前記外部装置のデータを取得するデータ取得手段と、
前記データ取得手段で取得した前記外部装置のデータを前記データ記憶手段に記憶するデータ記憶制御手段と
を具備することを特徴とする画像処理装置。
【請求項６】
前記識別情報は、
前記データの移行が可能であるか否かを識別するための文字列と、前記データの移行元であるか移行先であるかを識別するための数列とを含み、
前記識別手段は、
前記識別情報記憶手段に記憶している識別情報に含まれる前記文字列と、前記外部装置の識別情報に含まれる前記文字列とが一致する場合、前記データの移行が可能であると識別し、
前記識別情報記憶手段に記憶している識別情報に含まれる前記数列と、前記外部装置の識別情報に含まれる前記数列との大小に基づいて前記外部装置が移行元であるか移行先であるかを識別する
ことを特徴とする請求項５記載の画像処理装置。
【請求項７】
通信手段を経由して接続する外部装置とデータ通信を行う通信インターフェースと、
種々のデータを記憶するデータ記憶手段と、
前記通信インターフェースの主従関係に基づいて前記外部装置が前記データの移行元か移行先であるかを識別する識別手段と、
前記識別手段で前記外部装置が前記データの移行元であると識別した場合、前記通信インターフェースを仲介して前記外部装置のデータを取得するデータ取得手段と、
前記データ取得手段で取得した前記外部装置のデータを前記データ記憶手段に記憶するデータ記憶制御手段と
を具備することを特徴とする画像処理装置。
【請求項８】
通信手段を経由して接続する外部装置とデータ通信を行う通信インターフェースと、種々のデータを記憶するデータ記憶装置と、自装置に固有の識別情報を記憶する識別情報記憶装置とを備えた画像処理装置に内蔵されたコンピュータに、
前記通信インターフェースを仲介して接続する外部装置に前記識別情報記憶総理に記憶している識別情報を提供する識別情報提供処理と、
前記外部装置から該外部装置の識別情報を取得する識別情報取得処理と、
前記取得した前記外部装置の識別情報と前記識別情報記憶装置に記憶している識別情報とを比較し、前記外部装置との前記データの移行が可能であるか否かおよび前記外部装置が前記データの移行元か移行先であるかを識別する識別処理と、
前記データの移行が可能かつ前記外部装置が前記データの移行先であると識別した場合、前記通信インターフェースを仲介して前記データを前記外部装置に提供するデータ提供処理と
を実行させることを特徴とするデータ処理プログラム。
【請求項９】
前記識別情報は、
前記データの移行が可能であるか否かを識別するための文字列と、前記データの移行元であるか移行先であるかを識別するための数列とを含み、
前記識別処理は、
前記識別情報記憶装置に記憶している識別情報に含まれる前記文字列と、前記外部装置の識別情報に含まれる前記文字列とが一致する場合、前記データの移行が可能であると識別し、
前記識別情報記憶装置に記憶している識別情報に含まれる前記数列と、前記外部装置の識別情報に含まれる前記数列との大小に基づいて前記外部装置が移行元であるか移行先であるかを識別する
ことを特徴とする請求項８記載のデータ処理プログラム。
【請求項１０】
前記データ提供処理によって前記データが前記外部装置に提供された後、前記識別情報記憶装置から前記識別情報を消去する
ことを特徴とする請求項８記載のデータ処理プログラム。
【請求項１１】
通信手段を経由して接続する外部装置とデータ通信を行う通信インターフェースと、種々のデータを記憶するデータ記憶装置とを備える画像処理装置に内蔵されたコンピュータに、
前記通信インターフェースの主従関係に基づいて前記外部装置が前記データの移行元か移行先であるかを識別する識別処理と、
前記外部装置が前記データの移行先であると識別した場合、前記通信インターフェースを仲介して前記データを前記外部装置に提供するデータ提供処理と
を実行させることを特徴とするデータ処理プログラム。
【請求項１２】
通信手段を経由して接続する外部装置とデータ通信を行う通信インターフェースと、種々のデータを記憶するデータ記憶装置と、自装置に固有の識別情報を記憶する識別情報記憶装置とを備える画像処理装置に内蔵されたコンピュータに、
前記通信インターフェースを仲介して接続する外部装置に前記識別情報記憶装置に記憶している識別情報を提供する識別情報提供処理と、
前記外部装置から該外部装置の識別情報を取得する識別情報取得処理と、
前記取得した前記外部装置の識別情報と前記識別情報記憶装置に記憶している識別情報とを比較し、前記外部装置との前記データの移行が可能であるか否かおよび前記外部装置が前記データの移行元か移行先であるかを識別する識別処理と、
前記データの移行が可能かつ前記外部装置が前記データの移行元であると識別した場合、前記通信インターフェースを仲介して前記外部装置のデータを取得するデータ取得処理と、
前記取得した前記外部装置のデータを前記データ記憶装置に記憶するデータ記憶制御処理と
を実行させることを特徴とするデータ処理プログラム。
【請求項１３】
前記識別情報は、
前記データの移行が可能であるか否かを識別するための文字列と、前記データの移行元であるか移行先であるかを識別するための数列とを含み、
前記識別処理は、
前記識別情報記憶装置に記憶している識別情報に含まれる前記文字列と、前記外部装置の識別情報に含まれる前記文字列とが一致する場合、前記データの移行が可能であると識別し、
前記識別情報記憶装置に記憶している識別情報に含まれる前記数列と、前記外部装置の識別情報に含まれる前記数列との大小に基づいて前記外部装置が移行元であるか移行先であるかを識別する
ことを特徴とする請求項１２記載のデータ制御プログラム。
【請求項１４】
通信手段を経由して接続する外部装置とデータ通信を行う通信インターフェースと、種々のデータを記憶するデータ記憶装置とを備える画像処理装置に内蔵されたコンピュータに、
前記通信インターフェースの主従関係に基づいて前記外部装置が前記データの移行元か移行先であるかを識別する識別処理と、
前記外部装置が前記データの移行元であると識別した場合、前記通信インターフェースを仲介して前記外部装置のデータを取得するデータ取得処理と、
前記取得した前記外部装置のデータを前記データ記憶装置に記憶するデータ記憶制御処理と
を実行させることを特徴とするデータ処理プログラム。
【発明の詳細な説明】
【技術分野】
【０００１】
本発明は、画像処理装置およびデータ処理プログラムに関する。
【背景技術】
【０００２】
従来、プリンタ、スキャナ等の画像処理装置を買い換えまたは買い増す場合、現在所有する装置の設定および内部に保存したデータは、買い換えまたは買い増した画像処理装置を入手した後、主としてユーザまたはユーザが手配したサービス会社の手によってその移行作業が行なわれていた。
【０００３】
例えば、画像処理装置のライフモニタ情報の更新情報を複数のＰＣに送信、格納しておき、自身が記憶するライフモニタ情報と各ＰＣに格納させたライフモニタ情報とを所定のタイミングに照合してチェックし、チェックの結果、装置のライフモニタ情報に異常があると判断すると、他のＰＣのライフモニタ情報を画像処理装置のライフモニタ情報記憶手段に書き込むことができる画像処理装置がある（例えば、特許文献１参照。）。
【０００４】
また、例えば、ユーザからの情報機器受注時に設定やデータ等の移行サービスを併せて受注し、ユーザから設定／データ移行用ツールを用いて移行する設定やデータ等を管理用情報機器に転送し、当該内容を当該ユーザ向けに生産する情報機器に転送、設定した上で、情報機器を出荷することで、ユーザは新規の情報機器を入手した時点から従来の機器と同様の環境での作業を可能とする設定移行サービス付情報機器の提供方法がある（例えば、特許文献２参照。）。
【特許文献１】特開２００５−１５２３１９号公報
【特許文献２】特開２００３−４４５６０号公報
【発明の開示】
【発明が解決しようとする課題】
【０００５】
本発明は、装置が有する設定およびデータを他の装置に容易に移行することができる画像処理装置およびデータ処理プログラムを提供することを目的とする。
【課題を解決するための手段】
【０００６】
上記目的を達成するため、請求項１の発明は、通信手段を経由して接続する外部装置とデータ通信を行う通信インターフェースと、種々のデータを記憶するデータ記憶手段と、自装置に固有の識別情報を記憶する識別情報記憶手段と、前記通信インターフェースを仲介して接続する外部装置に前記識別情報記憶手段に記憶している識別情報を提供する識別情報提供手段と、前記外部装置から該外部装置の識別情報を取得する識別情報取得手段と、前記識別情報取得手段で取得した前記外部装置の識別情報と前記識別情報記憶手段に記憶している識別情報とを比較し、前記外部装置との前記データの移行が可能であるか否かおよび前記外部装置が前記データの移行元か移行先であるかを識別する識別手段と、前記識別手段で前記データの移行が可能かつ前記外部装置が前記データの移行先であると識別した場合、前記通信インターフェースを仲介して前記データを前記外部装置に提供するデータ提供手段とを具備することを特徴とする。
【０００７】
また、請求項２の発明は、請求項１の発明において、前記識別情報は、前記データの移行が可能であるか否かを識別するための文字列と、前記データの移行元であるか移行先であるかを識別するための数列とを含み、前記識別手段は、前記識別情報記憶手段に記憶している識別情報に含まれる前記文字列と、前記外部装置の識別情報に含まれる前記文字列とが一致する場合、前記データの移行が可能であると識別し、前記識別情報記憶手段に記憶している識別情報に含まれる前記数列と、前記外部装置の識別情報に含まれる前記数列との大小に基づいて前記外部装置が移行元であるか移行先であるかを識別することを特徴とする。
【０００８】
また、請求項３の発明は、請求項１の発明において、前記データ提供手段によって前記データが前記外部装置に提供された後、前記識別情報記憶手段から前記識別情報を消去することを特徴とする。
【０００９】
また、請求項４の発明は、通信手段を経由して接続する外部装置とデータ通信を行う通信インターフェースと、種々のデータを記憶するデータ記憶手段と、前記通信インターフェースの主従関係に基づいて前記外部装置が前記データの移行元か移行先であるかを識別する識別手段と前記識別手段で前記外部装置が前記データの移行先であると識別した場合、前記通信インターフェースを仲介して前記データを前記外部装置に提供するデータ提供手段とを具備することを特徴とする。
【００１０】
また、請求項５の発明は、通信手段を経由して接続する外部装置とデータ通信を行う通信インターフェースと、種々のデータを記憶するデータ記憶手段と、自装置に固有の識別情報を記憶する識別情報記憶手段と、前記通信インターフェースを仲介して接続する外部装置に前記識別情報記憶手段に記憶している識別情報を提供する識別情報提供手段と、前記外部装置から該外部装置の識別情報を取得する識別情報取得手段と、前記識別情報取得手段で取得した前記外部装置の識別情報と前記識別情報記憶手段に記憶している識別情報とを比較し、前記外部装置との前記データの移行が可能であるか否かおよび前記外部装置が前記データの移行元か移行先であるかを識別する識別手段と、前記識別手段で前記データの移行が可能かつ前記外部装置が前記データの移行元であると識別した場合、前記通信インターフェースを仲介して前記外部装置のデータを取得するデータ取得手段と、前記データ取得手段で取得した前記外部装置のデータを前記データ記憶手段に記憶するデータ記憶制御手段とを具備することを特徴とする。
【００１１】
また、請求項６の発明は、請求項５の発明において、前記識別情報は、前記データの移行が可能であるか否かを識別するための文字列と、前記データの移行元であるか移行先であるかを識別するための数列とを含み、前記識別手段は、前記識別情報記憶手段に記憶している識別情報に含まれる前記文字列と、前記外部装置の識別情報に含まれる前記文字列とが一致する場合、前記データの移行が可能であると識別し、前記識別情報記憶手段に記憶している識別情報に含まれる前記数列と、前記外部装置の識別情報に含まれる前記数列との大小に基づいて前記外部装置が移行元であるか移行先であるかを識別することを特徴とする。
【００１２】
また、請求項７の発明は、通信手段を経由して接続する外部装置とデータ通信を行う通信インターフェースと、種々のデータを記憶するデータ記憶手段と、前記通信インターフェースの主従関係に基づいて前記外部装置が前記データの移行元か移行先であるかを識別する識別手段と、前記識別手段で前記外部装置が前記データの移行元であると識別した場合、前記通信インターフェースを仲介して前記外部装置のデータを取得するデータ取得手段と、前記データ取得手段で取得した前記外部装置のデータを前記データ記憶手段に記憶するデータ記憶制御手段とを具備することを特徴とする。
【００１３】
また、請求項８の発明は、通信手段を経由して接続する外部装置とデータ通信を行う通信インターフェースと、種々のデータを記憶するデータ記憶装置と、自装置に固有の識別情報を記憶する識別情報記憶装置とを備えた画像処理装置に内蔵されたコンピュータに、前記通信インターフェースを仲介して接続する外部装置に前記識別情報記憶総理に記憶している識別情報を提供する識別情報提供処理と、前記外部装置から該外部装置の識別情報を取得する識別情報取得処理と、前記取得した前記外部装置の識別情報と前記識別情報記憶装置に記憶している識別情報とを比較し、前記外部装置との前記データの移行が可能であるか否かおよび前記外部装置が前記データの移行元か移行先であるかを識別する識別処理と、前記データの移行が可能かつ前記外部装置が前記データの移行先であると識別した場合、前記通信インターフェースを仲介して前記データを前記外部装置に提供するデータ提供処理とを実行させることを特徴とする。
【００１４】
また、請求項９の発明は、請求項８の発明において、前記識別情報は、前記データの移行が可能であるか否かを識別するための文字列と、前記データの移行元であるか移行先であるかを識別するための数列とを含み、前記識別処理は、前記識別情報記憶装置に記憶している識別情報に含まれる前記文字列と、前記外部装置の識別情報に含まれる前記文字列とが一致する場合、前記データの移行が可能であると識別し、前記識別情報記憶装置に記憶している識別情報に含まれる前記数列と、前記外部装置の識別情報に含まれる前記数列との大小に基づいて前記外部装置が移行元であるか移行先であるかを識別することを特徴とする。
【００１５】
また、請求項１０の発明は、請求項８の発明において、前記データ提供処理によって前記データが前記外部装置に提供された後、前記識別情報記憶装置から前記識別情報を消去することを特徴とする。
【００１６】
また、請求項１１の発明は、通信手段を経由して接続する外部装置とデータ通信を行う通信インターフェースと、種々のデータを記憶するデータ記憶装置とを備える画像処理装置に内蔵されたコンピュータに、前記通信インターフェースの主従関係に基づいて前記外部装置が前記データの移行元か移行先であるかを識別する識別処理と、前記外部装置が前記データの移行先であると識別した場合、前記通信インターフェースを仲介して前記データを前記外部装置に提供するデータ提供処理とを実行させることを特徴とする。
【００１７】
また、請求項１２の発明は、通信手段を経由して接続する外部装置とデータ通信を行う通信インターフェースと、種々のデータを記憶するデータ記憶装置と、自装置に固有の識別情報を記憶する識別情報記憶装置とを備える画像処理装置に内蔵されたコンピュータに、前記通信インターフェースを仲介して接続する外部装置に前記識別情報記憶装置に記憶している識別情報を提供する識別情報提供処理と、前記外部装置から該外部装置の識別情報を取得する識別情報取得処理と、前記取得した前記外部装置の識別情報と前記識別情報記憶装置に記憶している識別情報とを比較し、前記外部装置との前記データの移行が可能であるか否かおよび前記外部装置が前記データの移行元か移行先であるかを識別する識別処理と、前記データの移行が可能かつ前記外部装置が前記データの移行元であると識別した場合、前記通信インターフェースを仲介して前記外部装置のデータを取得するデータ取得処理と、前記取得した前記外部装置のデータを前記データ記憶装置に記憶するデータ記憶制御処理とを実行させることを特徴とする。
【００１８】
また、請求項１３の発明は、請求項１２の発明において、前記識別情報は、前記データの移行が可能であるか否かを識別するための文字列と、前記データの移行元であるか移行先であるかを識別するための数列とを含み、前記識別処理は、前記識別情報記憶装置に記憶している識別情報に含まれる前記文字列と、前記外部装置の識別情報に含まれる前記文字列とが一致する場合、前記データの移行が可能であると識別し、前記識別情報記憶装置に記憶している識別情報に含まれる前記数列と、前記外部装置の識別情報に含まれる前記数列との大小に基づいて前記外部装置が移行元であるか移行先であるかを識別することを特徴とする。
【００１９】
また、請求項１４の発明は、通信手段を経由して接続する外部装置とデータ通信を行う通信インターフェースと、種々のデータを記憶するデータ記憶装置とを備える画像処理装置に内蔵されたコンピュータに、前記通信インターフェースの主従関係に基づいて前記外部装置が前記データの移行元か移行先であるかを識別する識別処理と、前記外部装置が前記データの移行元であると識別した場合、前記通信インターフェースを仲介して前記外部装置のデータを取得するデータ取得処理と、前記取得した前記外部装置のデータを前記データ記憶装置に記憶するデータ記憶制御処理とを実行させることを特徴とする。
【発明の効果】
【００２０】
請求項１、５、８および１２に記載の発明は、装置が有する設定およびデータを他の装置に容易に移行することが可能となる。
【００２１】
また、請求項２、６、９およぎ１３に記載の発明は、文字列等の組み合わせの識別情報を設定することで、データ移行の可否およびデータの移行元と移行先を容易に識別することが可能となる。
【００２２】
また、請求項３、およぎ１０に記載の発明は、再接続による意図しないデフォルトデータの移行を防止することが可能となる。
【００２３】
また、請求項４、７、１０およぎ１４に記載の発明は、通信インターフェースの主従関係のみでデータの移行元と移行先を容易に識別することが可能となる。
【発明を実施するための最良の形態】
【００２４】
以下、本発明に係る画像処理装置およびデータ処理プログラムの実施の形態について添付図面を参照して詳細に説明する。なお、本実施例では、画像処理装置に本発明に係るデータ処理プログラムがインストールされている構成を一例にして説明する。
【００２５】
図１は、画像処理装置１のハードウェア構成の一例を示す図である。
【００２６】
図１に示すように、画像処理装置１は、画像処理装置１全体の主制御および各種プログラムの実行を行うＣＰＵ２と、プログラムの実行に必要なワークエリアのバッファエリアとして利用されるＲＡＭ３と、画像処理を行うエンジン４（なお、画像処理装置１がプリンタである場合は画像形成処理を行うプリンタエンジン、画像処理装置１がスキャナである場合は画像読取処理を行うスキャナエンジン等）と、各種プログラム、画像処理装置１のファームウェア、フォントデータ等が記憶されているＲＯＭ５と、画像処理装置１の設定等が記憶されているＨＤＤ６と、ユーザインターフェースであるオペレーションパネル７と、通信ケーブルを介して接続する装置（例えば、パーソナルコンピュータ、画像処理装置等）とのデータ通信を仲介する通信ＩＦ８を具備して構成される。
【００２７】
なお、データ処理プログラムはＲＯＭ５またはＨＤＤ６に記憶され、ＣＰＵ２がＲＯＭ５またはＨＤＤ６に記憶されているデータ処理プログラムを実行することになる。
【００２８】
以後、ＲＯＭ５に記憶されている各種プログラム、ファームウェア、フォントデータ等およびＨＤＤ６に記憶されている画像処理装置１の設定等をデータと総称する。
【００２９】
図２は、データ処理プログラム９の機能的な構成の一例を示す図である。
【００３０】
図２に示すように、データ処理プログラム９は、その機能として、識別情報設定部１０、識別情報提供部１１、識別情報取得部１２、識別情報識別部１３、データ記憶制御部１４、データ提供部１５、データ取得部１６から構成される。
【００３１】
識別情報設定部１０は、画像処理装置１毎に固有であり、両画像処理装置１間におけるデータ移行可能関係、およびデータ移行における移行元の画像処理装置１と移行先の画像処理装置１とを識別するための情報である識別情報１７を設定する処理を行う。なお、識別情報１７は製造元で工場出荷時等に設定され、設定された識別情報１７はＨＤＤ６内に記憶される。
【００３２】
識別情報提供部１１は、画像処理装置１が通信ＩＦ８を仲介して他の画像処理装置と接続した際に、ＨＤＤ６に記憶されている識別情報を他の画像処理装置に送信する処理を行う。
【００３３】
識別情報取得部１２は、画像処理装置１が通信ＩＦ８を仲介して他の画像処理装置と接続した際に、他の画像処理装置から送信されてきた他の画像処理装置に記憶されている識別情報を受信する処理を行う。
【００３４】
識別情報識別部１３は、識別情報取得部１２で受信した他の画像処理装置の識別情報とＨＤＤ６に記憶されている自身の識別情報１７とを比較し、両画像処理装置間におけるデータ移行可能関係、およびデータ移行における移行元の画像処理装置と移行先の画像処理装置とを識別する。
【００３５】
データ記憶制御部１４は、ＲＯＭ５およびＨＤＤ６に対するデータ１８の読み出し／書き込みの制御を行う。
【００３６】
データ提供部１５は、識別情報識別部１３で自身が移行元と識別した場合、ＲＯＭ５に記憶されているデータ１８およびＨＤＤ６に記憶されているデータ１８を他の画像処理装置に送信する処理を行う。
【００３７】
データ取得部１６は、識別情報識別部１３で自身が移行先と識別した場合、他の画像処理装置から送信されてきたデータ１８を受信する処理を行う。なお、データ取得部１６で受信したデータはＲＯＭ５およびＨＤＤ６に記憶される。
【００３８】
次に、識別情報について説明する。
【００３９】
識別情報として、一文字以上の文字、数字、記号若しくはその組み合わせによる文字列が挙げられる。
【００４０】
（例）  ＡＢＣ００１
例に示す前３桁の部分が装置間におけるデータ移行可能関係を示す文字列とする。両装置の識別情報を比較し、この部分の文字列が一致する場合はデータ移行可能になり、この部分の文字列が一致しない場合はデータ移行不可能になる。
【００４１】
また、例に示す後３桁の部分がデータ移行における移行下と移行先とを識別する数列とする。なお、データ移行可能関係を示す文字列が同一である場合、この部分の数列は必ず異なる。両装置の識別情報を比較し、この部分の数列が小さい方が移行元になり、大きい方が移行先になる。
【００４２】
ここで、具体例を参照して識別情報に基づくデータ移行可能関係およびデータ移行における移行下と移行先との識別について説明する。
【００４３】
（例）画像処理装置Ａの識別情報：ＡＢＣ００１
画像処理装置Ｂの識別情報：ＡＢＣ００２
識別情報「ＡＢＣ００１」が設定された画像処理装置Ａと識別情報「ＡＢＣ００２」が設定された画像処理装置Ｂとが通信ＩＦ８を仲介して接続すると、画像処理装置Ａの識別情報提供部１１は自身の識別情報「ＡＢＣ００１」を画像処理装置Ｂに提供し、画像処理装置Ｂの識別情報提供部１１は自身の識別情報「ＡＢＣ００２」を画像処理装置Ａに提供する。
【００４４】
画像処理装置Ａの識別情報識別部１３は識別情報取得部１２が取得した画像処理装置Ｂの識別情報「ＡＢＣ００２」と自身の識別情報「ＡＢＣ００１」とを比較する。ここで、両識別情報の前３桁の部分は「ＡＢＣ」と一致しているのでデータ移行可能と識別し、画像処理装置Ａの識別情報の後３桁の部分は「００１」であり、画像処理装置Ｂの識別情報の後３桁の部分は「００２」であり、画像処理装置Ａの方が小さいので、移行元が画像処理装置Ａ、移行先が画像処理装置Ｂと識別する。
【００４５】
また、  画像処理装置Ｂの識別情報識別部１３は識別情報取得部１２が取得した画像処理装置Ａの識別情報「ＡＢＣ００１」と自身の識別情報「ＡＢＣ００２」とを比較する。ここで、両識別情報の前３桁の部分は「ＡＢＣ」と一致しているのでデータ移行可能と識別し、画像処理装置Ｂの識別情報の後３桁の部分は「００２」であり、画像処理装置Ａの識別情報の後３桁の部分は「００１」であり、画像処理装置Ｂの方が大きいので、移行先が画像処理装置Ｂ、移行元が画像処理装置Ａと識別する。
【００４６】
（例）画像処理装置Ｃの識別情報：ＡＢＣ００３
画像処理装置Ｄの識別情報：ＤＥＦ００４
識別情報「ＡＢＣ００３」が設定された画像処理装置Ｃと識別情報「ＤＥＦ００４」が設定された画像処理装置Ｄとが通信ＩＦ８を仲介して接続すると、画像処理装置Ｃの識別情報提供部１１は自身の識別情報「ＡＢＣ００３」を画像処理装置Ｄに提供し、画像処理装置Ｄの識別情報提供部１１は自身の識別情報「ＤＥＦ００４」を画像処理装置Ｃに提供する。
【００４７】
画像処理装置Ｃの識別情報識別部１３は識別情報取得部１２が取得した画像処理装置Ｄの識別情報「ＤＥＦ００４」と自身の識別情報「ＡＢＣ００３」とを比較する。ここで、両識別情報の前３桁の部分は一致しないのでデータ移行不可能と識別し、データ移行を実施しない。
【００４８】
画像処理装置Ｄの識別情報識別部１３は識別情報取得部１２が取得した画像処理装置Ｃの識別情報「ＡＢＣ００３」と自身の識別情報「ＤＥＦ００４」とを比較する。ここで、両識別情報の前３桁の部分は一致しないのでデータ移行不可能と識別し、データ移行を実施しない。
【００４９】
（例）画像処理装置Ｅの識別情報：ＡＢＣ００５
画像処理装置Ｆの識別情報：００６ＡＢＣ
識別情報「ＡＢＣ００５」が設定された画像処理装置Ｅと識別情報「００６ＡＢＣ」が設定された画像処理装置Ｆとが通信ＩＦを仲介して接続すると、画像処理装置Ｅの識別情報提供部１１は自身の識別情報「ＡＢＣ００５」を画像処理装置Ｆに提供し、画像処理装置Ｆの識別情報提供部１１は自身の識別情報「００６ＡＢＣ」を画像処理装置Ｅに提供する。
【００５０】
画像処理装置Ｅの識別情報識別部１３は識別情報取得部１２が取得した画像処理装置Ｆの識別情報「００６ＡＢＣ」と自身の識別情報「ＡＢＣ００５」とを比較する。ここで、両識別情報は書式が一致しないのでデータ移行不可能と識別し、データ移行を実施しない。
【００５１】
なお、データ移行における移行下と移行先との識別を識別情報に基づいて行うことに限定する必要はない。その他の識別方法として、装置間がＵＳＢ［Universal Serial Bus］規格インターフェースで接続されている場合、ＵＳＢ規格インターフェースの主従関係に基づく識別方法が挙げられ、具体的には、ホスト側を移行元とし、デバイス側を移行先とする。なお、ホスト側を移行先とし、デバイス側を移行元としても良い。更に、その他の識別方法として、オレレーションパネル操作に基づく識別方法が挙げられ、具体的には、オペレーションパネルのボタンＡを押しながら電源スイッチをＯＮにすると移行元となり、オペレーションパネルのボタンＢを押しながら電源スイッチをＯＮにすると移行先となる。
【００５２】
次に、データ移行を行う際の画像処理装置１が行う処理の流れの一例について図３に示すシーケンス図を参照して説明する。なお、図３に示すシーケンス図は、画像処理装置Ａと画像処理装置Ｂとが通信ＩＦを仲介して接続し、画像処理装置Ａのデータを画像処理装置Ｂに移行する際の処理の流れの一例を示す。
【００５３】
画像処理装置Ａと画像処理装置Ｂとがケーブルで接続し、両装置の通信ＩＦを仲介して双方向通信で接続すると（Ｓ３０１）、画像処理装置Ａの識別情報提供部は自身の識別情報を画像処理装置Ｂに提供し、画像処理装置Ｂの識別情報取得部は画像処理装置Ａの識別情報を取得し（Ｓ３０２）、画像処理装置Ｂの識別情報提供部は自身の識別情報を画像処理装置Ａに提供し、画像処理装置Ａの識別情報取得部は画像処理装置Ｂの識別情報を取得する（Ｓ３０３）。
【００５４】
画像処理装置Ａの識別情報識別部は自身の識別情報と画像処理装置Ｂの識別情報とを比較し、画像処理装置Ａが移行元であると識別する（Ｓ３０４）。ここで、データ移行不可能と識別した場合はＳ３０９に進む。
【００５５】
画像処理装置Ｂの識別情報識別部は自身の識別情報と画像処理装置Ａの識別情報とを比較し、画像処理装置Ｂが移行先であると識別する（Ｓ３０５）。ここで、データ移行不可能と識別した場合はＳ３１１に進む。
【００５６】
画像処理装置Ａのデータ提供部はＨＤＤおよびＲＯＭに記憶されているデータを画像処理装置Ｂに提供し、画像処理装置Ｂのデータ取得部は画像処理装置Ａのデータを取得する（Ｓ３０６）。
【００５７】
画像処理装置Ａのデータ記憶制御部は移行したデータをＨＤＤおよびＲＯＭから消去する（Ｓ３０７）。ここで、移行したデータのＨＤＤおよびＲＯＭから消去しない場合はＳＳ３０９に進む。
【００５８】
画層処理装置ＡのＣＰＵは工場出荷時設定に戻し（Ｓ３０８）、画像処理装置ＡのＣＰＵは現在の設定内容で動作を開始し（Ｓ３０９）、処理を終了する。
【００５９】
画像処理装置Ｂのデータ記憶制御部は画像処理装置ＡのデータをＨＤＤおよびＲＯＭに記憶し（Ｓ３１０）、画像処理装置ＢのＣＰＵは現在の設定内容で動作を開始し（Ｓ３１１）、処理を終了する。
【００６０】
なお、Ｓ３０７において、移行したデータを消去する場合、識別情報もＨＤＤから消去することも可能である。これは、工場出荷時設定に戻った画像処理装置Ａが、その後画像処理装置Ｂを含む他の画像処理装置と接続した場合、画像処理装置Ａの工場出荷時設定が他の画像処理装置に移行されてしまうことを防止するためである。
【００６１】
上記では、両装置間のデータ移行を自動で行う実施例について説明してきた。次は、両装置間のデータ移行に対してユーザが介入する実施例について説明する。
【００６２】
図４は、データ移行に対してオペレーションパネル７の操作が介入する場合の画像処理装置１の機能的な構成の一例について説明する図である。
【００６３】
図４に示すように、オペレーションパネル７とデータ処理プログラム９とにインターフェースを設け、データ処理プログラム９が行うデータ移行に対してオペレーションパネル７の操作が介入される。
【００６４】
次に、データ移行に対してオペレーションパネル７の操作が介入される際の画像処理装置１が行う処理の流れの一例について図５に示すシーケンス図を参照して説明する。なお、図５に示すシーケンス図は、画像処理装置Ａと画像処理装置Ｂとが通信ＩＦを仲介して接続し、画像処理装置Ａのデータを画像処理装置Ｂに移行する際の処理の流れの一例を示す。
【００６５】
画像処理装置Ａと画像処理装置Ｂとがケーブルで接続し、ユーザが画像処理装置Ａのオペレーションパネルを操作することで、画像処理装置Ａをデータ移行モードに設定し（Ｓ５０１）、ユーザが画像処理装置Ｂのオペレーションパネルを操作することで、画像処理装置Ｂをデータ移行モードに設定し（Ｓ５０２）、両装置の通信ＩＦを仲介して双方向通信で接続すると（Ｓ５０３）、画像処理装置Ａの識別情報提供部は自身の識別情報を画像処理装置Ｂに提供し、画像処理装置Ｂの識別情報取得部は画像処理装置Ａの識別情報を取得し（Ｓ５０４）、画像処理装置Ｂの識別情報提供部は自身の識別情報を画像処理装置Ａに提供し、画像処理装置Ａの識別情報取得部は画像処理装置Ｂの識別情報を取得する（Ｓ５０５）。
【００６６】
画像処理装置Ａの識別情報識別部は自身の識別情報と画像処理装置Ｂの識別情報とを比較し、画像処理装置Ａが移行元であると識別する（Ｓ５０６）。ここで、データ移行不可能と識別した場合はＳ５１５に進む。
【００６７】
画像処理装置Ｂの識別情報識別部は自身の識別情報と画像処理装置Ａの識別情報とを比較し、画像処理装置Ｂが移行先であると識別する（Ｓ５０７）。ここで、データ移行不可能と識別した場合はＳ５１８に進む。
【００６８】
ユーザが画像処理装置Ａのオペレーションパネルを操作することで、画像処理装置Ａのデータ提供部に対して画像処理装置Ｂへの移行データの提供を指示し（Ｓ５０８）、ユーザが画像処理装置Ｂのオペレーションパネルを操作することで、画像処理装置Ｂのデータ取得部に対して画像処理装置Ａからの移行データの取得を指示する（Ｓ５０９）。
【００６９】
画像処理装置Ａのデータ提供部はＨＤＤおよびＲＯＭに記憶されているデータを画像処理装置Ｂに提供し、画像処理装置Ｂのデータ取得部は画像処理装置Ａのデータを取得する（Ｓ５１０）。
【００７０】
ユーザが画像処理装置Ａのオペレーションパネルを操作することで、画像処理装置Ａのデータ記憶制御部に対して移行したデータのＨＤＤおよびＲＯＭからの消去を指示し（Ｓ５１１）、画像処理装置Ａのデータ記憶制御部は移行したデータをＨＤＤおよびＲＯＭから消去する（Ｓ５１２）。ここで、移行したデータのＨＤＤおよびＲＯＭからの消去を指示しなかった場合はＳ５１５に進む。
【００７１】
画層処理装置ＡのＣＰＵは工場出荷時設定に戻し（Ｓ５１３）、ユーザが画像処理装置Ａのオペレーションパネルを操作することで、画像処理装置Ａを通常モードに設定し（Ｓ５１４）、画像処理装置ＡのＣＰＵは現在の設定内容で動作を開始し（Ｓ５１５）、処理を終了する。
【００７２】
画像処理装置Ｂのデータ記憶制御部は画像処理装置ＡのデータをＨＤＤおよびＲＯＭに記憶し（Ｓ５１６）、ユーザが画像処理装置Ｂのオペレーションパネルを操作することで、画像処理装置Ｂを通常モードに設定し（Ｓ５１７）、画像処理装置ＢのＣＰＵは現在の設定内容で動作を開始し（Ｓ５１８）、処理を終了する。
【００７３】
なお、Ｓ５１２において、移行したデータを消去する場合、識別情報もＨＤＤから消去することも可能である。これは、工場出荷時設定に戻った画像処理装置Ａが、その後画像処理装置Ｂを含む他の画像処理装置と接続した場合、画像処理装置Ａの工場出荷時設定が他の画像処理装置に移行されてしまうことを防止するためである。
【００７４】
なお、データ処理プログラム９は、各種メモリ、光ディスク等の記憶媒体に記憶して提供することが可能であり、ネットワーク等の通信回線を介して配信することも可能である
【図面の簡単な説明】
【００７５】
【図１】画像処理装置のハードウェア構成の一例を示す図である。
【図２】データ処理プログラムの機能的な構成の一例を示す図である。
【図３】データ移行を行う際の画像処理装置が行う処理の流れの一例を示すシーケンス図である。
【図４】データ移行に対してオペレーションパネルの操作が介入する場合の画像処理装置の機能的な構成の一例について説明する図である。
【図５】データ移行に対してオペレーションパネルの操作が介入される際の画像処理装置が行う処理の流れの一例を示すシーケンス図である。
【符号の説明】
【００７６】
１    画像処理装置
２    ＣＰＵ
３    ＲＡＭ
４    エンジン
５    ＲＯＭ
６    ＨＤＤ
７    オペレーションパネル
８    通信ＩＦ
９    データ処理プログラム
１０    識別情報設定部
１１    識別情報提供部
１２    識別情報取得部
１３    識別情報識別部
１４    データ記憶制御部
１５    データ提供部
１６    データ取得部
１７    識別情報
１８    データ
【図１】
2008300946.tif 000003
【図２】
2008300946.tif 000004
【図３】
2008300946.tif 000005
【図４】
2008300946.tif 000006
【図５】
2008300946.tif 000007